(57)【特許請求の範囲】
【請求項１】
折線を介して連接する三つの紙片からなる台紙を折り畳んで封緘することで三つ折り封筒の形態をなし，前記封筒は開封後に冊子として利用できる郵便物において，前記郵便物を構成する台紙は，少なくとも２枚の台紙を重ね合わせてなる台紙であり，前記重ね合わせてなる台紙のそれぞれは，紙片Ａと紙片Ｂと紙片Ｃとが折線を介して連接されており，かつ前記折線と交わる２辺には余白部と前記余白部を切り取り可能にする第１の切り取り線が設けられ，さらに前記紙片Ｂと前記紙片Ｃと間の折線を中心として前記折線と対称の位置に第２の切り取り線が設けられ，前記封筒の表裏となる台紙の前記紙片Ｂと前記紙片Ｃの余白部ならびに前記紙片Ｃの折線側の辺と対向する辺の内側の領域であって当該封筒の内面となる側にのみ糊層が設けられ，前記封筒の表裏とならない台紙の前記紙片Ａと前記紙片Ｂと前記紙片Ｃの余白部，前記紙片Ａと前記紙片Ｂとの折線を覆う領域ならびに前記紙片Ｃの折線側の辺と対向する辺の内側の領域であって当該封筒の内面となる側にのみ糊層が設けられ，前記紙片Ａと前記紙片Ｂを前記折線から折り畳み，前記折り畳まれた紙片Ａと前記紙片Ｃとが重なるように前記紙片Ｃを折線から折り畳んで巻き三つ折りに成型したことを特徴とする三つ折り郵便物。
【請求項２】
前記三つ折り郵便物の表裏とならない前記台紙の面にカードが貼り付けられていることを特徴とする，請求項１に記載の三つ折り郵便物。
【発明の詳細な説明】
【技術分野】
【０００１】
本発明は，一枚の台紙を折り加工することで成形される郵便物に関する発明で，更に詳しくは，開封後に冊子として利用できる郵便物である。
【背景技術】
【０００２】
従来，カードを顧客に郵送する場合，カードを貼り付ける台紙と共に，会員カードの利用方法・利用規約などが印刷された冊子を封筒に同封し，該封筒を郵送することが一般的であったが，会員カードの郵送に封筒を利用すると，封筒代や，封入費などの製造コストが必要になるため，ポイントカードや会員カードなど，比較的安価なカードを顧客に郵送する場合，封筒を利用せずにカードを郵送できることが望まれている。
【０００３】
封筒を利用せずにカードを郵送する手法としては，葉書を利用してカードを送付する手法が考案され，葉書を利用してカードを送付する発明として，特許文献１では， 葉書サイズの紙片を３枚又は４枚接合した台紙を，葉書サイズに三つ折り又は四つ折りに折畳み、接合した接面同士を剥離可能に貼合わせた葉書において、内側に折込まれる少なくとも一つの紙片に、切断予定線を周囲に設けたカード形成部を複数設けた葉書が開示されている。また，特許文献２では，カード形成部にＲＦＩＤフィルムを貼り付けた発明が開示されている。
【０００４】
特許文献１の発明よって，切断予定線に沿ってカード形成部を紙片から切り離すことで，紙片から切り離したカード形成部をカードとして利用することができ，更に，特許文献２の発明を利用すれば，紙片から切り離したカード形成部を非接触ＩＣカードとして利用することができるようになる。
【０００５】
しかし，葉書を利用してカードを送付する手法では，従来は封筒にカードと共に同封していた冊子よりも印刷可能なスペースが少なく，冊子に印刷していた情報すべてを葉書に印刷できないという欠点がある。
【０００６】
複数の紙片が連結した一枚の台紙を折り畳むことで成型され，カードを封入した封筒サイズの郵便物に利用可能な発明としては，特許文献３に開示されているカード封入ビジネスフォーム印刷物が開示されているが，特許文献３で開示されているカード封入ビジネスフォーム印刷物そのものを，封筒サイズの郵便物として郵送することは可能であるが，特許文献３で開示されているカード封入ビジネスフォーム印刷物は，送付先で冊子として利用することができない。
【先行技術文献】
【特許文献】
【０００７】
【特許文献１】登実第３０５６３２８号公報
【特許文献２】特開２００９−１８５０２号公報
【特許文献３】特開平８−１４２５４７号公報
【発明の概要】
【発明が解決しようとする課題】
【０００８】
そこで，本発明は，複数の紙片が連結した一枚の台紙を折り畳むことで成型され，カードが封入可能な郵便物であって，郵便物を郵送するときは封緘された郵便物の形態をなし，送付先では冊子の形態とて利用できる郵便物，及び，郵便物の成型に必要な台紙を提供することを目的とする。
【課題を解決するための手段】
【０００９】
上述した課題を解決する第１の発明は，第1回目の折りで折られる紙片Ａと，第２回目の折りで折られる紙片Ｂと，前記紙片Ａ及び前記紙片Ｂと連結する紙片Ｃとから少なくとも構成される台紙を巻き三つ折りにより成型した三つ折り郵便物であって、封緘された郵便物の形態をなすために，巻き三つ折りにより形成される開口部の辺に沿って設けられた糊層によって，前記紙片Ａと前記紙片Ｃ及び前記紙片Ａと前記紙片Ｂを接着することで両端の前記開口部が封緘され，更に，１回目の折りで形成される第１の折部に沿って設けられた糊層によって前記紙片Ａと前記紙片Ｂを接着することで前記第１の折部側が封緘されている。
【００１０】
また，この三つ折り郵便物には，冊子の形態とて利用できるようにするために，封緘された状態の前記開口部を切り取り可能にする第１の切り取り線と， 2回目の折りで形成される第２の折部を切り取り可能にする第２の切り取り線が設けられている。
【００１１】
第１の発明の三つ折り郵便物に設けられた前記第１の切り取り線を利用して，封緘された状態の２つの前記開口部を切り取り，前記第２の切り取り線を利用して，前記第２の折部を切り取ることで，前記第１の折部側を除く三方が開口し，前記第１の折部側は，巻き三つ折りによって形成される前記第１の折部と糊層によって封緘されているため，冊子として利用できるようになる。
【００１２】
更に，内側に折り込む前記紙片Ａの幅方向の長さが，他の紙片の幅方向の長さよりも，少なくとも，前記第２の折部と前記第２の切り取り線の間隔短い前記台紙から第１の発明にかかる三つ折り郵便物を成型すると，第２の切り取り線を切り取るときに，前記紙片Ａが破られることがなくなる。
【００１３】
更に，第１の発明において，前記開口部とならない前記紙片Ａの辺を除く前記台紙の三辺の周縁に沿って設けた糊層と，前記紙片Ａと前記紙片Ｃの連結部を覆うように設けた糊層によって複数枚の前記台紙を貼り合わせた積層状の台紙から三つ折り郵便物を成型すると，第１の発明にかかる三つ折り郵便物を開封すること得られる冊子の紙枚数を増やすことができる。
【００１４】
更に，前記三つ折り郵便物の表裏とならない前記台紙の面にカードが貼り付けることで，第１の発明に係わる三つ折り郵便物にカードを封入して送付することができるようになる。
【００１５】
上述した課題を解決する第２の発明は，第1回目の折りで折られる紙片Ａと，第２回目の折りで折られる紙片Ｂと，前記紙片Ａ及び前記紙片Ｂと連結する紙片Ｃとから少なくとも構成される台紙であって，前記紙片Ａと前記紙片Ｃ及び前記紙片Ｂと前記紙片Ｃの連結部に折線が設けられ，巻き三つ折りにより形成される開口部となるそれぞれの辺に沿った切り取り線が前記紙片Ａ，前記紙片Ｂ及び前記紙片Ｃに設けられ，前記紙片Ｂと前記紙片Ｃの連結部に設けられた折線に沿った切り取り線が前記紙片Ｂと前記紙片Ｃに設けられている。
【００１６】
第２の発明にかかる台紙は，第１の発明にかかる三つ折り郵便物の成型に利用する台紙である。
【発明の効果】
【００１７】
このように，本発明によれば，台紙を複数重ねて貼り合わせた積層状の台紙を用いることで，重ね合わせた台紙の枚数に応じて，三つ折り郵便物を開封することで冊子の紙枚数を増やすことが可能となる。
さらに，三つ折り郵便物の成型に巻き三つ折りを用いていることにより，台紙に糊を塗布する面が片面で済み，折り加工の自動をし易くなる。
【図面の簡単な説明】
【００１８】
【図１】本実施形態にかかる三つ折り郵便物を説明する図。
【図２】開封された状態の三つ折り郵便物を説明する図。
【図３】三つ折り郵便物の成型に利用される台紙を説明する図。
【図４】台紙に糊を塗布する塗布領域を説明する図。
【図５】カードを封入した三つ折り郵便物を成型する手順を説明する図。
【図６】貼り合わせる台紙に糊を塗布する塗布領域を説明する図。
【図７】積層状の台紙から成型された三つ折り郵便物を説明する図。
【発明を実施するための形態】
【００１９】
ここから，本願発明の実施形態について，本願発明の技術分野に係わる当業者が，本願発明の内容を理解し，本願発明を実施できる程度に説明する。
【００２０】
図１は，本実施形態にかかる三つ折り郵便物１を説明する図である。本実施形態の三つ折り郵便物１は，第1回目の折りで折られる紙片２０Ａと，第２回目の折りで折られる紙片２０Ｂと，紙片２０Ａ及び紙片２０Ｂと連結する紙片２０Ｃとから少なくとも構成される台紙を巻き三つ折りすることで成型される郵便物で，開封前は封緘された郵便物として利用でき，開封後は冊子として利用できる郵便物である。なお，三つ折り郵便物１の形態は任意であるが，図１では，三つ折り郵便物１の形態を封筒としている。
【００２１】
一枚の台紙を巻き三つ折りすると，三つ折り郵便物１の二方（ここでは，天地）に開口部１０が形成され，更に，巻き三つ折りの１回目の折りで形成される第１の折部１１側（ここでは，左側）が封緘されていない状態になるため，図１で図示した三つ折り郵便物１では，巻き三つ折りにより形成される開口部１０の辺に沿って設けた糊層１３によって，紙片２０Ａと紙片２０Ｃ及び紙片２０Ａと紙片２０Ｂを接着することで開口部１０を封緘し，更に，第１の折部１１に沿って設けた糊層１４によって紙片２０Ａと紙片２０Ｂを接着することで第１の折部１１側を封緘している。
【００２２】
具体的には，紙片２０Ａ，紙片２０Ｂ及び紙片２０Ｃが連結した一枚の台紙を巻き三つ折りすると，内側に折り込まれる紙片２０Ａと紙片２０Ｃによって開口部１０が形成され，更に，内側に折り込まれる紙片２０Ａを覆う様に紙片２０Ｂが折られるため，紙片２０Ａと紙片２０Ｃ間及び紙片２０Ａ及び紙片２０Ｂ間に，開口部１０の辺に沿った糊層１３を設け，それぞれを糊で接着することで，巻き三つ折りにより形成される開口部１０を封緘している。
【００２３】
また，巻き三つ折りの１回目の折りで形成される第１の折部１１側において，第１の折部１１を介して紙片２０Ａと紙片２０Ｃは連結しているが，内側に折り込まれる紙片２０Ａを覆う様に紙片２０Ｂが折られることで，紙片２０Ｃと紙片２０Ｂ間が封緘されていない状態になるため，紙片２０Ｃと紙片２０Ｂ間に第１の折部１１に沿った糊層１４を設け，三つ折り郵便物１の第１の折部側１１を封緘している。
【００２４】
なお，巻き三つ折りの２回目の折りで形成される第２の折部１２側（ここでは，右側）は，内側に折り込まれた紙片２０Ａを第２の折部１２で挟む格好になるため，三つ折り郵便物１の第２の折部１２側は，巻き三つ折りした時点で封緘されている。
【００２５】
三つ折り郵便物１には，封緘された状態の開口部１０を切り取り可能にするミシン目状の第１の切り取り線１５と， 2回目の折りで形成される第２の折部１２を切り取り可能にするミシン目状の第２の切り取り線１６が設けられている。なお，封緘された状態の開口部１０を切り取り可能にするためには，開口部１０を封緘している糊層１３を切り取ることが必要になるため，開口部１０を封緘している糊層１３を切り取ることができるように第１の切り取り線１５の位置は決定される。
【００２６】
図２は，開封された状態の三つ折り郵便物１を説明する図である。三つ折り郵便物１に設けられた第１の切り取り線１５を利用して，封緘された状態の２つの開口部１０を含む余白部を１０ａを切り取り，第２の切り取り線１６を利用して，第２の折部１２を含む余白部１２ａを切り取ることで，三つ折り郵便物１の第１の折部１１側を除く三方が開口し，三つ折り郵便物１は冊子1ａの形態をなす。
【００２７】
上述しているように，三つ折り郵便物１の第１の折部１１側は，巻き三つ折りによって形成される第１の折部１１と糊層１４によって封緘されているため，三つ折り郵便物１の第１の折部１１側は冊子１ａの綴じ部として機能し，三つ折り郵便物１は紙枚数が3枚の冊子１ａとして利用できるようになる。
【００２８】
図３は，図１で図示した三つ折り郵便物１の成型に利用される台紙を説明する図である。図３で図示したように，三つ折り郵便物１の成型に利用される台紙は，三つ折り郵便物１のサイズに合わせ紙片２０Ａ，紙片２０Ｂ及び紙片２０Ｃが連結した一枚の用紙の形態をなし，紙片２０Ａ，紙片２０Ｂ及び紙片２０Ｃの連結部それぞれには，巻き三つ折りする際に所定の位置で折れるようにミシン目状の折線２１，２２が加工されている。
【００２９】
紙片２０Ｃと紙片２０Ｂ間の折線２２が第２の折部１２となるため，第２の折部１２を含む余白部１２ａを切り取るための第２の切り取り線１６として機能する切り取り線２４は，紙片２０Ｃと紙片２０Ｂ間の折線２２を中心軸として対称に紙片２０Ｃと紙片２０Ｂに設けられ，この切り取り線２４は，紙片２０Ｃと紙片２０Ｂ間の折線２２から第１の間隔Ｌ１をあけ，折線２２と平行に天地方向に延びて設けられている。
【００３０】
なお，本実施形態において，第２の折部１２を含む余白部１２ａを切り取るための第２の切り取り線１６として機能する切り取り線２４を紙片２０Ａに設けていないのは，巻き三つ折りした際，紙片２０Ａは内側に折り込まれるため破りづらく，第２の折部１２を含む余白部１２ａを切り取るときに，紙片２０Ａが破られてしまう可能性があるからである。
【００３１】
第２の折部１２を含む余白部１２ａを切り取った際，紙片２０Ａが破られないようにするために，本実施形態において，紙片２０Ａの幅方向（ここでは，左右方向）の長さＬ２が，紙片２０Ｃと紙片２０Ｂの幅方向の長さＬ３よりも，少なくとも第１の間隔Ｌ１短くなっている。
【００３２】
紙片２０Ａの幅方向の長さＬ２を，少なくとも第１の間隔Ｌ１短くすることで，第２の折部１２を含む余白部１２ａに紙片２０Ａの一部が含まれなくなるため，第２の折部１２を含む余白部１２ａを切り取った際，紙片２０Ａが破られることはない。
【００３３】
巻き三つ折りにより形成される開口部１０となる辺は，図３では，紙片２０Ａ，紙片２０Ｂ及び紙片２０Ｃの天地の辺になるため，封緘された状態の開口部１０を含む余白部１０ａを切り取るための第１の切り取り線１５として機能する切り取り線２３は，紙片２０Ａ，紙片２０Ｂ及び紙片２０Ｃの天地それぞれに設けられ，この切り取り線２３は，天地の辺から第２の間隔Ｌ４をあけ，天地の辺と平行に左右方向に延びて設けられている。
【００３４】
図４は，台紙２において糊が塗布される塗布領域を説明する図である。図３で図示した台紙２には，図１で図示した三つ折り郵便物１が成型される前に，点線で示した塗布領域２５，２６に糊が塗布され糊層１３，１４が形成される。
【００３５】
巻き三つ折りにより形成される開口部１０を封緘するためには，開口部１０の辺に沿って設けられた糊層１３によって，紙片２０Ａと紙片２０Ｃ及び紙片２０Ａと紙片２０Ｂを接着することが必要であるため，紙片２０Ｂと紙片２０Ｃにおいて，第１の切り取り線１５として機能する２３と天地の辺間それぞれに設定された塗布領域２５に糊が塗布される。
【００３６】
また，三つ折り郵便物１の第１の折部１１を封緘するためには，第１の折部１１に沿って設けられた糊層によって紙片２０Ａと紙片２０Ｂを接着することが必要であるため，第１の折部１１を重なる紙片２０Ｂの辺に沿って設定された塗布領域２６に糊が塗布される。
【００３７】
図５は，カード３を封入した三つ折り郵便物１を成型する手順を説明する図である。図３で図示した台紙２を巻き三つ折りする前に，図４で図示した塗布領域２５，２６に糊を塗布した後，台紙２の面にカード３が貼り付けられる。カード３を貼り付ける面は，三つ折り郵便物１の表裏とならない台紙２の面であればよく，また，2以上の台紙２の面にカード３を貼り付けるようにすることもできる。
【００３８】
台紙２に糊を塗布し，カード３を貼り付けた後，紙片２０Ａが内側に折り込まれるように折線２１に沿って折り，紙片２０Ａと紙片２０Ｂを接着させた後，紙片２０Ｃが紙片２０Ａをおおうように折線２２に沿って折り，紙片２０Ａと紙片２０Ｂを接着させることで，カード３を封入した三つ折り郵便物１が成型される。
【００３９】
なお，本実施形態において，三つ折り郵便物１の成型に巻き三つ折りを用いているのは，台紙２に糊を塗布する面が片面で済み，折り加工の自動をし易くなるからである。例えば，Z折りでも三つ折り郵便物１と同様の郵便物を成型できなくはないが，糊を塗布する面が両面になってしまい，折り加工の自動がしづらくなってしまう。
【００４０】
また，台紙２の仕様を変更すれば，本実施形態とは逆側の辺（ここでは，第２の折部１２側）を冊子の綴じ部にすることもできるが，糊を塗布する領域や切り取り線が増えるため，製造コストがかかってしまう。
【００４１】
次に，冊子の紙枚数を増やすときの変形例について説明する。三つ折り郵便物を成型する際，図３で図示した台紙２を複数重ねて貼り合わせた積層状の台紙を用いることで，重ね合わせた台紙２の枚数に応じて，三つ折り郵便物を開封することで冊子の紙枚数を３枚単位で増やすことが可能になる。
【００４２】
例えば， 1枚の台紙２を巻き三つ折りすることで成型された三つ折り郵便物から得られる冊子の紙枚数は３枚になるが，台紙２を２枚重ね合わせ貼り合わせた積層状の台紙から成型された三つ折り郵便物を開封することで得られる冊子の紙枚数は６枚になる。
【００４３】
図６は，貼り合わせる台紙４に糊を塗布する塗布領域４０〜４２を説明する図である。貼り合わせる台紙４は図３で図示した台紙２と同じであるため，塗布領域４０〜４２以外については同じ符号を用いている。
【００４４】
貼り合わせる台紙４の塗布領域４０〜４２は図４で図示した塗布領域２５，２６とは異なり，図６で図示した塗布領域４０〜４２にそれぞれ糊を塗布した台紙４を図３の台紙２に貼り合わせことで積層状の台紙は製造される。
【００４５】
積層状の台紙を巻き三つ折りして成型される三つ折り郵便物は，図２で図示したように三方が切り取られて冊子として利用されるため，貼り合わせる台紙４には，冊子の小口側にならない台紙４の三方と，台紙４において綴じ部となる箇所を接着するように塗布領域４０〜４２が設けられる。
【００４６】
これまで説明したように，冊子の小口側にならない三方は，巻き三つ折りしたときに開口部となる辺（ここでは，天地の辺）と，2回目の折りで折られる紙片２０Ｂの側辺になるため，紙片２０Ａ，紙片２０Ｂ及び紙片２０Ｃには，第１の切り取り線１５として機能する切り取り線２３と天地の辺の間それぞれに，天地の辺に沿って左右方向に延びる塗布４０領域が設けられ，更に，紙片２０Ｂには，側辺に沿って天地方向に延びる塗布領域４１が設けられる。
【００４７】
また，冊子の形態において綴じ部となる箇所は，巻き三つ折りによって第１の折部１１が形成される箇所になるため，第１の折部１１となる折線２１を覆うように天地方向に延びる塗布領域４２が設けられる。
【００４８】
図７は，積層状の台紙から成型された三つ折り郵便物を説明する図で，図７で図示した三つ折り郵便物に利用された積層状の台紙は，２枚の台紙２が重ね貼り合わされた積層状の台紙である。
【００４９】
図７（ａ）は，封緘された状態を説明する図である。 図７（ａ）で図示した三つ折り郵便物５は，三つ折り郵便物５に利用された台紙２が2枚重ねになっていることを除けば，図１出図示した三つ折り郵便物１と同じである。
【００５０】
図７（ｂ）は，開封後の状態を説明する図である。図７（ａ）で図示したように，三つ折り郵便物５に利用された台紙２が2枚重ねになっているため，三つ折り郵便物５を開封することで得られる冊子５ａの紙枚数は３枚×２＝６枚になる。
【符号の説明】
【００５１】
１    三つ折り郵便物
１０  開口部
１１  第１の折部
１２  第２の折部
１３，１４  糊層
１５  第１の切り取り線
１６  第２の切り取り線
１０ａ，１２ａ  余白部
２    台紙
２０Ａ，２０Ｂ，２０Ｃ  紙片
２１，２２  折線
２３，２４  切り取り線
２５，２６  塗布領域
３    カード
４    台紙
４０，４１，４２  塗布領域
５    積層状の台紙から成型された三つ折り郵便物
【図１】
0005527046.tif 000002
【図２】
0005527046.tif 000003
【図３】
0005527046.tif 000004
【図４】
0005527046.tif 000005
【図５】
0005527046.tif 000006
【図６】
0005527046.tif 000007
【図７】
0005527046.tif 000008